(57)【要約】【課題】      従来からある亀甲墓、破風墓、特に破風墓において加工を容易とし、更に建立場所への搬入並びに組み立てを容易とし、価格の低減を図り、且つ、多人数の納骨が可能であり、しかも納骨堂内部の温度の上昇を防ぎ、室内を乾燥状態に保持し得る納骨堂を開発することが発明が解決しようとする課題である。【解決手段】  納骨堂の組み立て工法に通常の家屋建築工法を用い、納骨堂本体、屋根、納骨載置棚または納骨ロッカー、それに袖石に至るまで全て小石材部品として加工、搬入並びに建立を容易とし、しかも納骨堂本体の壁は二重構造として内部の温度上昇を抑制し得る構造とすること、これが課題を解決するための手段である。【選択図】図１
2010261290.tif 000002
【特許請求の範囲】
【請求項１】
納骨堂において、納骨堂本体、納骨棚、屋根、袖石等を全て小石材部品による組立構造としたことを特徴とする組立工法による石組み納骨堂構造。
【請求項２】
納骨室の壁を適宜の間隙を設けた内壁と外壁の二重構造とし、当該内壁と外壁の間隙を空気流通路又は断熱部としてなる組立工法による石組み納骨堂構造。
【請求項３】
基台上に複数本の支柱を立設し、当該支柱に刻設した溝に夫々壁材を嵌装して納骨室を構成すると共に、前記支柱の上面には桁を載置し、その上部に棟材、垂木材、軒板等からなる屋根部材を載置し、当該屋根部材に屋根板を張設してなる組立工法による石組み納骨堂構造。
【請求項４】
基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる組立工法による石組み納骨堂構造。
【請求項５】
基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には観音開きの扉を有する入り口を設けてなる納骨室であり、当該納骨室の上部に屋根部材を載置してなる組立工法による石組み納骨堂構造。
【請求項６】
基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる納骨室で、当該納骨室の上部に屋根部材を載置してなる納骨堂であり、当該納骨堂の前部には一対の拝所柱を立設し、前記前壁に設けた梁穴に一端を嵌装した梁の他端を拝所柱にて支え、当該梁の上部に拝所屋根を載置し、前記入り口から拝所柱間を拝所としてなる組立工法による石組み納骨堂構造。
【請求項７】
基台上に複数本の支柱を立設し、当該支柱に刻設した溝に夫々壁材を嵌装して得られた納骨堂内周に多段式の納骨ロッカーを配設してなる組立工法による石組み納骨堂構造。
【請求項８】
基台上に複数本の支柱を立設し、当該支柱に刻設した溝に夫々壁材を嵌装して得られた納骨堂内部の前側に礼拝室を設け、当該礼拝室と扉で隔てた後方の部屋内周には多段式の納骨ロッカーを配設してなる組立工法による石組み納骨堂構造。
【請求項９】
基台上に複数本の支柱を立設し、当該支柱に夫々嵌装した内壁と外壁の間に適宜幅の間隙を設けて空気流通路とし、屋切部に開口した空気取り入れ口より吸入した空気を内壁下部より空気流通路に導き、当該空気流通路の上方外壁に形成した排気口より外部へ排出すべくなしたる組立工法による石組み納骨堂構造。
【請求項１０】
基台上に複数本の支柱を立設し、当該支柱に夫々嵌装した内壁と外壁の間に適宜幅の空間を設けて空気流通路とし、屋切部に開口した空気取り入れ口より吸入した空気を内壁下部より空気流通路に導き、当該空気流通路の上方外壁に形成した排気口より外部へ排出すべく構成すると共に、排気口には換気扇を取り付け、当該換気扇を屋根にモジュールを配設した太陽電池により駆動すべく構成してなる組立工法による石組み納骨堂構造。
【請求項１１】
基台上に複数本の支柱を立設し、当該支柱に刻設した溝に夫々壁材を嵌装して得られた納骨堂において、屋根にモジュールを配設した太陽電池にて納骨堂内外の照明、礼拝器具の照明及び空調機器及び排水機器等の駆動をすべく構成してなる組立工法による石組み納骨堂構造。
【請求項１２】
納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成してなる組立工法による石組み納骨堂構造。
【請求項１３】
納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成すると共に、棚板前側の上面及び底面には横方向に扉溝を刻設し、当該扉溝を用いて落し込みにより着脱自在に扉を装着すべく構成してなる組立工法による石組み納骨堂構造。
【発明の詳細な説明】
【技術分野】
【０００１】  本発明は、納骨堂に関するものであり、詳しくは多段式の納骨載置棚または多段式の納骨ロッカーを内部に配設すると共に、納骨堂本体の壁を内壁と外壁の二重構造として内部温度の上昇を防止すべく構成し、更には従来の石材製納骨堂と異なり、柱、壁材、屋根の桁、屋根板等を用い、家屋の建築工法を採用した納骨堂であり、更には、内部に配設する納骨載置棚または納骨ロッカー、納骨堂本体前側に載置される袖石等も小石材からなる組み立て工法としたことを特徴とする組立工法による石組み納骨堂構造に関するものである。
【背景技術】
【０００２】  従来から納骨堂とか、納骨室を有する墓は広く知られている。特に巨大な納骨室を有する墓として著名なのは沖縄地方に古くからある亀甲墓であるが、従来この亀甲墓は山の斜面を切り崩し、当該斜面より亀甲部分を前面に出す形で造られていたのだが、現在ではこの古くからの造りの亀甲墓に変り、平地に設置する単体の亀甲墓、また社風の破風墓となっている。そして当初はコンクリート製であったのが現在では御影石等を用いた石造りに変ってきた。しかしこれらの墓についても納骨室が巨大であることには変りはない。当該沖縄地方の亀甲墓、破風墓の納骨室であるがハブの侵入を防ぐ意味もあって密閉されたものが多く、当該地方では気温も高くまた直射日光がきついことから、コンクリート、または石造りとはいえ、納骨室内の温度は極度な高温となり内部に安置されている遺骨にも悪影響を与えていたのである。しかも室内に付着した結露や若干の地下水等を外部に排出する事もできないというのが実情であり、納骨室内は常時じめじめとした環境にあった。【０００３】  従来、このような石材製の納骨堂は、厚みのある一枚板で四方を囲んで本体とするか、或いは立設した柱に刻設した溝に同じく石材からなる壁板を挿通して本体を組み立てていた。屋根に至っては、当該納骨堂本体の上に一枚の大きな石材からなる屋根を載置していたのである。これは納骨堂本体の前側に立設する袖石も同じで大きな角柱から製作されていた。【０００４】  このような納骨堂は屋根等、一個の納骨堂を製作するのに石材が大きいだけに高価となり、また大きいだけに扱い難いことから加工も容易ではなく、しかも運送費も高くなっていた。これは袖石にも言えることである。【０００５】  またこれらの納骨堂を建立するために霊園、墓地等に搬入するにも、大きいだけに搬入にも大型車両が必要であり、建立するにも大型重機、即ち大型のクレーンが必要とされるが、公園化された近代霊園は別にしても、殆どの霊園、墓地には大型車両、大型クレーンが納骨堂建立場所まで到達できないことが多かったのである。そのため部材を霊園、墓地まで搬入するにも、小型車量に積載量オーバー承知で積み込んだり、また建立には小型クレーンで無理を承知で作業を遂行することが多く危険性が高い作業と危惧されていた。【０００６】  また、従来は納骨室内部に複数段の棚を配設し、当該棚に遺骨を入れた壷を載置していたが、これらは一族の墓としては事足りるものの、現在、墓そのものの大きさも問題となっているのが現実であり、多人数の納骨が可能である共同納骨堂が望まれているのが現状であるが、共同納骨堂とするには当該構造では限界があった。
【発明の開示】
【発明が解決しようとする課題】
【０００７】  解決しようとする問題点は、従来からある亀甲墓、破風墓、特に破風墓において加工を容易とし、更に建立場所への搬入並びに組み立てを容易とし、価格の低減を図り、且つ、多人数の納骨が可能であり、しかも納骨堂内部の温度の上昇を防ぎ、室内を乾燥状態に保持し得る納骨堂を開発することが発明が解決しようとする課題である。
【課題を解決するための手段】
【０００８】  本発明は、納骨堂の組み立て工法に通常の家屋建築工法を用い、納骨堂本体、屋根、納骨載置棚または納骨ロッカー、それに袖石に至るまで全て小石材部品として加工、搬入並びに建立を容易とし、しかも納骨堂本体の壁は二重構造として内部の温度上昇を抑制し得る構造とすること、これが課題を解決するための手段である。
【発明の効果】
【０００９】  本発明にかかる納骨堂は、納骨堂本体、納骨棚、袖石、屋根等を全て小石材部品による組立構造としたことを特徴とする石組み製納骨堂構造であるから、まず個々の石材部品が小品となるので加工が容易であり、しかも材料となる石材も、大きなみのから削りだしたりするのでなく、極端に言えば従来は半端物とされていた小石材から作り出すことが出来る。また納骨堂建立場所までの搬入も個々の部品が小部品と言うことで従来は進入できなかったような場所へも小型車で搬入することが出来る。その上、組立時の部品の取扱いも容易であり、しかも建立工事の安全性を図るためにレッカーが必要とされても小型のレッカーで用を足せる。このように一般の家屋建築工法を石材での納骨堂製作に応用して加工、組み立てを容易としているので、価格の低減が図れ、且つ多段式の納骨ロッカーを内部に採用しているので多人数の納骨が可能となる。更には、当該構造においては中間の支柱、壁材を増加すれば拡張も容易であるので、大型の納骨堂とすることも用意である。また、壁板を内壁と外壁の二重構造として、両壁間に間隙を設け、当該間隙を空気流通路としているので内部の温度上昇を防ぎ、納骨室内を乾燥状態を保つ構造としている。また屋根にモジュールを設置した太陽電池により、換気扇を駆動して内部の高温の空気を室外に強制排気する構造であり、また、当該太陽電池にて沖縄等、直射日光の厳しいところでは内部に空調機器を配設して稼動することも可能であり、更には室内、室外の照明とか礼拝器具の照明等にも利用できる。また排水用機器の駆動も可能である等、極めて顕著なる種々の効果が得られるものである。
【発明を実施するための最良の形態】
【００１０】  本発明は、納骨堂本体、納骨棚、袖石、屋根等を全て小石材部品による組立構造としたことを特徴とする組立工法による石組み納骨堂構造であり、更には支柱には中支柱側には内壁、外壁嵌装用の溝を形成し、直角方向内側の面には前壁嵌装用の溝を形成すると共に、当該溝に外壁、内壁を、前支柱には前壁を納骨室の壁を適宜の間隙を設けた内壁と外壁の二重構造とし、当該内壁と外壁の間隙を空気流通路又は断熱部としてなる組立工法による石組み納骨堂構造であり、更には、基台上に複数本の支柱を立設し、当該支柱に刻設した溝に夫々壁材を嵌装して納骨室を構成すると共に、前記支柱の上面には桁を載置し、その上部に棟材、垂木材、軒板等からなる屋根部材を載置し、当該屋根部材に屋根板を張設してなる組立工法による石組み納骨堂構造であり、更には、基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる組立工法による石組み納骨堂構造であり、更には、基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前嵌装し、更に前壁には観音開きの扉を有する入り口を設けてなる組立工法による石組み納骨堂構造であり、当該納骨室の上部に屋根部材を載置してなる納骨堂であり、更には、基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる納骨室で、当該納骨室の上部に屋根部材を載置してなる納骨堂であり、当該納骨堂の前部には一対の拝所柱を立設し、前記前壁に設けた梁穴に一端を嵌装した梁の他端を拝所柱にて支え、当該梁の上部に拝所屋根を載置し、前記入り口から拝所柱間を拝所としてなる組立工法による石組み納骨堂構造であり、更には、基台上に複数本の支柱を立設し、当該支柱に刻設した溝に夫々壁材を嵌装して得られた納骨堂内周に多段式の納骨ロッカーを配設してなる組立工法による石組み納骨堂構造であり、更には、基台上に複数本の支柱を立設し、当該支柱に刻設した溝に夫々壁材を嵌装して得られた納骨堂内部の前側に礼拝室を設け、当該礼拝室と扉で隔てた後方の部屋内周には多段式の納骨ロッカーを配設してなる組立工法による石組み納骨堂構造であり、更には、基台上に複数本の支柱を立設し、当該支柱に夫々嵌装した内壁と外壁の間に適宜幅の間隙を設けて空気流通路とし、屋切部に開口した空気取り入れ口より吸入した空気を内壁下部よ���空気流通路に導き、当該空気流通路の上方外壁に形成した排気口より外部へ排出すべくなしたる組立工法による石組み納骨堂構造であり、更には、基台上に複数本の支柱を立設し、当該支柱に夫々嵌装した内壁と外壁の間に適宜幅の空間を設けて空気流通路とし、屋切部に開口した空気取り入れ口より吸入した空気を内壁下部より空気流通路に導き、当該空気流通路の上方外壁に形成した排気口より外部へ排出すべく構成すると共に、排気口には換気扇を取り付け、当該換気扇を屋根にモジュールを配設した太陽電池により駆動すべく構成してなる組立工法による石組み納骨堂構造であり、更には、基台上に複数本の支柱を立設し、当該支柱に刻設した溝に夫々壁材を嵌装して得られた納骨堂において、屋根にモジュールを配設した太陽電池にて納骨堂内外の照明、礼拝器具の照明及び空調機器及び排水機器等の駆動をすべく構成してなる組立工法による石組み納骨堂構造であり、更には、納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成してなる納骨堂であり、更には、納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成すると共に、棚板前側の上面及び底面には横方向に扉溝を刻設し、当該扉溝を用いて落し込みにより着脱自在に扉を装着すべく構成してなる組立工法による石組み納骨堂構造であり、更には、基台上に複数本の支柱を立設し、当該支柱に刻設した溝に夫々壁材を嵌装して納骨室において、前記支柱の上面には桁を載置し、その上部に棟材、垂木材、軒板等からなる屋根部材を載置し、当該屋根部材に屋根板を張設すると共に、当該屋根板を適宜の間隔を持たせた二重構造又は間に適宜の断熱部を設けた二重構造としてなる組立工法による石組み納骨堂構造を呈せんとするものである。
【実施例１】
【００１１】  図２及び図３に示すように、基台１上に複数本の支柱（前支柱２、中支柱３、後支柱４）を立設し、当該支柱のうち中支柱３には前支柱２側、後支柱４側に相対する面に外壁５を嵌装用の溝６を形成し、後支柱４には前記中支柱３側及び直角方向の後方の中支柱３側の面に内壁７及び外壁５嵌装用の二条の溝６を形成し、前支柱２には中支柱３側には内壁７、外壁５嵌装用の溝６を形成し、直角方向内側の面には前壁８嵌装用の溝６を形成すると共に、当該溝６に外壁５、内壁７を、前支柱２には前壁８を嵌装し、更に前壁８部には入り口９を設けると共に入り口９上部の左右に貫通した梁穴１０を設けている。１１は排気口である。【００１２】  納骨室Ａを形成する内壁７と外壁５に適宜幅の間隙を設けた二重構造とし、当該内壁７と外壁５の間隙を空気流通路１２としている。当該空気流通路１２は、空気流通路としての使用の他に、断熱材を充填して断熱部とすることも可能である。【００１３】  図７、図８、図９、図１０、図１１に示すように、基台１上に複数本の石材製支柱（前支柱２、中支柱３、後支柱４）を立設し、当該支柱に刻設した溝６に夫々同じく石材製壁材（外壁５、内壁７）を嵌装して得られた納骨堂Ａであり、当該納骨堂Ａの上部に同じく石材製の棟材１３と垂木材１４、軒板１５からなる屋根部材を配設し、当該屋根部材に屋根板１６を取り付けて屋根１７を構成している。本実施例においては前記前支柱２、中支柱３、後支柱４の外側上面に欠切部１８を設け、当該欠切部１８上に桁１９を載置し、桁１９の上に屋根部材を載置している。また屋根板１６は適宜の間隔をおいた二重構造、又は間に適宜の断熱材を介在せしめた二重構造としている。構造上からは梁を省き各支柱の上に直接に軒板がくるように屋根部材を載置する事も可能である。尚、支柱と桁、支柱と軒板等の当接部はピンで位置決めを兼ねた固定をしており、また接着剤を用いる事もある。【００１４】  基台１上に複数本の支柱（前支柱２、中支柱３、後支柱４）を立設し、当該支柱のうち中支柱３には前支柱２側、後支柱４側に相対する面に外壁５の嵌装用溝６を形成し、後支柱４には前記中支柱３側及び直角方向の後方の中支柱３側の面に内壁７及び外壁５嵌装用の二条の溝６を形成し、前支柱２には中支柱３側には内壁７、外壁５嵌装用の溝６を形成し、直角方向内側の面には前壁８嵌装用の溝６を形成すると共に、当該溝６に外壁５、内壁７を、前支柱２には前壁８を嵌装し、更に前壁８には入り口９を設けてなる納骨室Ａで、当該納骨室Ａの上部に屋根１７を載置してなる納骨堂Ａであり、当該納骨堂Ａの前部には一対の拝所柱２０、２０を立設し、前記納骨堂Ａ前壁８に設けた梁穴１０に一端を嵌装した梁３５、３５の他端を当該拝所柱２０、２０で支持し、この梁３５、３５間に拝所屋根２１を載置して、その下方を拝所２２としている。【００１５】  基台１上に複数本の支柱（前支柱２、中支柱３、後支柱４）を立設し、当該支柱に夫々内壁７、外壁５等を嵌装して得られた納骨堂Ａ内部に、図１２及び図１３に示すように多段式の納骨ロッカー２３を配設している。当該納骨ロッカー２３は図１４及び図１５に示すように納骨堂の幅によっては中央にも配設する事が可能であり、また図示は��ていないが、入り口側内方の入り口部分を避けた部分にも配設する事が可能である。また当該納骨ロッカー２３は、図面においては前面が開放されているが、扉付きとすることもできる。尚、本実施例においては、図１８に示すように納骨室を構成する壁材の内面に、横方向に所定間隔をおいて、複数条の溝２４を縦方向に刻設すると共に、当該夫々の溝２４に支持板２５の一端を嵌装し、支持板２５の上に棚板２６を載置し、更に当該棚板２６の上で夫々の溝２４に支持板２５の一端を嵌装することを繰り返し、複数段の組み立て式多段納骨ロッカー２３を構成している。また、図１９に示すように棚板２６前側の上面及び底面には横方向に扉溝２７、２８を刻設し、当該扉溝を用いて落し込みにより着脱自在に扉３２を装着すべく構成している。この際、棚板底面に刻設する溝２８の深さは、上面に刻設する溝２７より深く刻設している。また最下部の棚板２６の下方には台３３を配設し、壁板間の空気流通路１２に連通する空間３４を設けている。【００１６】  基台１上に複数本の支柱（前支柱２、中支柱３、後支柱４）を立設し、当該支柱に夫々内壁７、外壁５等を嵌装して得られた納骨堂Ａ内部の前側に、図１７に示すように礼拝室２９を設け、扉３０で隔てた後方の部屋には多段式の納骨ロッカー２３を配設すべく構成している。【００１７】  基台１上に複数本の支柱（前支柱２、中支柱３、後支柱４）を立設し、当該支柱に夫々嵌装した内壁７と外壁５の間に適宜幅の間隙を設けて空気流通路１２とし、屋切部に開口した空気取り入れ口３１より吸入した空気を内壁下部より空気流通路１２に導き、当該空気流通路１２の上方外壁に形成した排気口１１より外部へ排出すべく構成している。【００１８】  基台１上に複数本の支柱（前支柱２、中支柱３、後支柱４）を立設し、当該支柱に夫々嵌装した内壁７と外壁５の間に適宜幅の空間を設けて空気流通路１２とし、屋切部に開口した空気取り入れ口３１より吸入した空気を内壁７下部より空気流通路１２に導き、当該空気流通路１２の上方外壁５に形成した排気口１１より外部へ排出すべく構成すると共に、排気口１１には換気扇（図示なし）を取り付け、当該換気扇を図１６に示すように屋根１７にモジュール２４を配設した太陽電池により駆動すべく構成している。当該太陽電池では換気扇以外にも、納骨堂Ａ内外の照明、礼拝器具の照明及び空調機器及び排水機器等の駆動にも用いられるよう構成している。【００１９】  尚、図示はしていないが、納骨堂Ａ内部には排水路を設け、室内に発生した結露等を外部に排水するように構成している。排水構造については、自然排水、排水機器による強制排水がある。【００２０】  図２３は袖石３６を有する組立工法による石組み納骨堂であり、図２４に示すように、やや厚み大なる前板３７と側板３８、後板３９、更には図２３に示す上板４０により構成されている。４１は前屋根を支える袖柱である。
【産業上の利用可能性】
【００２１】  本発明にかかる納骨堂は、納骨堂本体、納骨棚、袖石、屋根等を全て小石材部品による組立構造としたことを特徴とする石組み製納骨堂構造であるから、まず個々の石材部品が小品となるので加工が容易であり、しかも材料となる石材も、大きなみのから削りだしたりするのでなく、極端に言えば従来は半端物とされていた小石材から作り出すことが出来る。また納骨堂建立場所までの搬入も個々の部品が小部品と言うことで従来は進入できなかったような場所へも小型車で搬入することが出来る。その上、組立時の部品の取扱いも容易であり、しかも建立工事の安全性を図るためにレッカーが必要とされても小型のレッカーで用を足せる。このように一般の家屋建築工法を石材での納骨堂製作に応用して加工、組み立てを容易としているので、価格の低減が図れ、且つ多段式の納骨ロッカーを内部に採用しているので多人数の納骨が可能となる。更には、当該構造においては中間の支柱、壁材を増加すれば拡張も容易であるので、大型の納骨堂とすることも用意である。また、納骨堂の前部に前屋根を設けたことにより、雨天での礼拝、真夏の日差しの厳しい時の礼拝等に効果を有するものである。また、壁板を内壁と外壁の二重構造として、両壁間に間隙を設け、当該間隙を空気流通路としているので内部の温度上昇を防ぎ、納骨室内を乾燥状態を保つ構造としている。また屋根にモジュールを設置した太陽電池により、換気扇を駆動して内部の高温の空気を室外に強制排気する構造であり、また、当該太陽電池にて沖縄等、直射日光の厳しいところでは内部に空調機器を配設して稼動することも可能であり、更には室内、室外の照明とか礼拝器具の照明等にも利用できる。また排水用機器の駆動も可能である等、利用可能性が極めて大である。
【図面の簡単な説明】
【００１９】
【図１】  納骨堂の斜視図である。
【図２】  納骨堂の構造を説明するための斜視図である。
【図３】  納骨堂の構造を説明するための斜視図である。
【図４】  前支柱の斜視図である。
【図５】  中支柱の斜視図である。
【図６】  納骨堂の断面図である。
【図７】  屋根部材の斜視図である。
【図８】  屋根部材の斜視図である。
【図９】  屋根部材の斜視図である。
【図１０】  屋根の斜視図である。
【図１１】  屋根の取り付け構造を説明するための斜視図である。
【図１２】  納骨堂内部の納骨ロッカーの斜視図である。
【図１３】  納骨堂内部の納骨ロッカーの斜視図である。
【図１４】  納骨堂内部の納骨ロッカーの斜視図である。
【図１５】  納骨堂内部の納骨ロッカーの斜視図である。
【図１６】  屋根に取り付けた太陽電池のモジュールを現す斜視図である。
【図１７】  納骨堂内部の礼拝室を説明するための断面図である。
【図１８】  納骨ロッカー部分の正面図である。
【図１９】  納骨ロッカーの部分断側面図である。
【図２０】  納骨堂正面図である。
【図２１】  納骨堂背面図である。
【図２２】  納骨堂側面図である。
【図２３】  袖石を有する納骨堂の斜視図である。
【図２４】  袖石の説明をするための斜視図である。
【符号の説明】
【００２０】    Ａ  納骨堂
１  基台
２  前支柱
３  中支柱
４  後支柱
５  外壁
６  溝
７  内壁
８  前壁
９  入り口
１０  梁穴
１１  排気口
１２  空気流通路
１３  棟材
１４  垂木材
１５  軒板
１６  屋根板
１７  屋根
１８  欠切部
１９  桁
２０  拝所柱
２１  拝所屋根
２２  拝所
２３  納骨ロッカー
２４  溝
２５  支持板
２６  棚板
２７  上面扉溝
２８  下面扉溝
２９  内部礼拝所
３０  内部扉
３１  空気取り入れ口
３２  ロッカー扉
３３  台
３４  最下部空間
３５  拝所梁
３６  袖石
３７  前板
３８  側板
３９  後板
４０  上板
４１  袖柱
【図１】
2010261290.tif 000003
【図２】
2010261290.tif 000004
【図３】
2010261290.tif 000005
【図４】
2010261290.tif 000006
【図５】
2010261290.tif 000007
【図６】
2010261290.tif 000008
【図７】
2010261290.tif 000009
【図８】
2010261290.tif 000010
【図９】
2010261290.tif 000011
【図１０】
2010261290.tif 000012
【図１１】
2010261290.tif 000013
【図１２】
2010261290.tif 000014
【図１３】
2010261290.tif 000015
【図１４】
2010261290.tif 000016
【図１５】
2010261290.tif 000017
【図１６】
2010261290.tif 000018
【図１７】
2010261290.tif 000019
【図１８】
2010261290.tif 000020
【図１９】
2010261290.tif 000021
【図２０】
2010261290.tif 000022
【図２１】
2010261290.tif 000023
【図２２】
2010261290.tif 000024
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
納骨堂において、納骨堂本体、納骨棚、屋根、袖石等を全て小石材部品による組立構造としたことを特徴とする組立工法による石組み納骨堂構造。
【請求項２】
納骨室の壁を適宜の間隙を設けた内壁と外壁の二重構造とし、当該内壁と外壁の間隙を空気流通路又は断熱部としてなる組立工法による石組み納骨堂構造。
【請求項３】
基台上に複数本の支柱を立設し、当該支柱に刻設した溝に夫々壁材を嵌装して納骨室を構成すると共に、前記支柱の上面には桁を載置し、その上部に棟材、垂木材、軒板等からなる屋根部材を載置し、当該屋根部材に屋根板を張設してなる組立工法による石組み納骨堂構造。
【請求項４】
基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる組立工法による石組み納骨堂構造。
【請求項５】
基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には観音開きの扉を有する入り口を設けてなる納骨室であり、当該納骨室の上部に屋根部材を載置してなる組立工法による石組み納骨堂構造。
【請求項６】
基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる納骨室で、当該納骨室の上部に屋根部材を載置してなる納骨堂であり、当該納骨堂の前部には一対の拝所柱を立設し、前記前壁に設けた梁穴に一端を嵌装した梁の他端を拝所柱にて支え、当該梁の上部に拝所屋根を載置し、前記入り口から拝所柱間を拝所としてなる組立工法による石組み納骨堂構造。
【請求項７】
基台上に複数本の支柱を立設し、当該支柱に刻設した溝に夫々壁材を嵌装して得られた納骨堂内周に多段式の納骨ロッカーを配設してなる組立工法による石組み納骨堂構造。
【請求項８】
基台上に複数本の支柱を立設し、当該支柱に刻設した溝に夫々壁材を嵌装して得られた納骨堂内部の前側に礼拝室を設け、当該礼拝室と扉で隔てた後方の部屋内周には多段式の納骨ロッカーを配設してなる組立工法による石組み納骨堂構造。
【請求項９】
基台上に複数本の支柱を立設し、当該支柱に夫々嵌装した内壁と外壁の間に適宜幅の間隙を設けて空気流通路とし、屋切部に開口した空気取り入れ口より吸入した空気を内壁下部より空気流通路に導き、当該空気流通路の上方外壁に形成した排気口より外部へ排出すべくなしたる組立工法による石組み納骨堂構造。
【請求項１０】
基台上に複数本の支柱を立設し、当該支柱に夫々嵌装した内壁と外壁の間に適宜幅の空間を設けて空気流通路とし、屋切部に開口した空気取り入れ口より吸入した空気を内壁下部より空気流通路に導き、当該空気流通路の上方外壁に形成した排気口より外部へ排出すべく構成すると共に、排気口には換気扇を取り付け、当該換気扇を屋根にモジュールを配設した太陽電池により駆動すべく構成してなる組立工法による石組み納骨堂構造。
【請求項１１】
基台上に複数本の支柱を立設し、当該支柱に刻設した溝に夫々壁材を嵌装して得られた納骨堂において、屋根にモジュールを配設した太陽電池にて納骨堂内外の照明、礼拝器具の照明及び空調機器及び排水機器等の駆動をすべく構成してなる組立工法による石組み納骨堂構造。
【請求項１２】
納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成してなる組立工法による石組み納骨堂構造。
【請求項１３】
納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成すると共に、棚板前側の上面及び底面には横方向に扉溝を刻設し、当該扉溝を用いて落し込みにより着脱自在に扉を装着すべく構成してなる組立工法による石組み納骨堂構造。
【手続補正２】
【補正対象書類名】明細書
【補正対象項目名】全文
【補正方法】変更
【補正の内容】
【発明の詳細な説明】
【技術分野】
【０００１】  本発明は、納骨堂に関するものであり、詳しくは多段式の納骨載置棚または多段式の納骨ロッカーを内部に配設すると共に、納骨堂本体の壁を内壁と外壁の二重構造として内部温度の上昇を防止すべく構成し、更には従来の石材製納骨堂と異なり、柱、壁材、屋根の桁、屋根板等を用い、家屋の建築工法を採用した納骨堂であり、更には、内部に配設する納骨載置棚または納骨ロッカー、納骨堂本体前側に載置される袖石等も小石材からなる組み立て工法としたことを特徴とする組立工法による石組み納骨堂構造に関するものである。
【背景技術】
【０００２】  従来から納骨堂とか、納骨室を有する墓は広く知られている。特に巨大な納骨室を有する墓として著名なのは沖縄地方に古くからある亀甲墓であるが、従来この亀甲墓は山の斜面を切り崩し、当該斜面より亀甲部分を前面に出す形で造られていたのだが、現在ではこの古くからの造りの亀甲墓に変り、平地に設置する単体の亀甲墓、また社風の破風墓となっている。そして当初はコンクリート製であったのが現在では御影石等を用いた石造りに変ってきた。しかしこれらの墓についても納骨室が巨大であることには変りはない。当該沖縄地方の亀甲墓、破風墓の納骨室であるがハブの侵入を防ぐ意味もあって密閉されたものが多く、当該地方では気温も高くまた直射日光がきついことから、コンクリート、または石造りとはいえ、納骨室内の温度は極度な高温となり内部に安置されている遺骨にも悪影響を与えていたのである。しかも室内に付着した結露や若干の地下水等を外部に排出する事もできないというのが実情であり、納骨室内は常時じめじめとした環境にあった。【０００３】  従来、このような石材製の納骨堂は、厚みのある一枚板で四方を囲んで本体とするか、或いは立設した柱に刻設した溝に同じく石材からなる壁板を挿通して本体を組み立てていた。屋根に至っては、当該納骨堂本体の上に一枚の大きな石材からなる屋根を載置していたのである。これは納骨堂本体の前側に立設する袖石も同じで大きな角柱から製作されていた。【０００４】  このような納骨堂は屋根等、一個の納骨堂を製作するのに石材が大きいだけに高価となり、また大きいだけに扱い難いことから加工も容易ではなく、しかも運送費も高くなっていた。これは袖石にも言えることである。【０００５】  またこれらの納骨堂を建立するために霊園、墓地等に搬入するにも、大きいだけに搬入にも大型車両が必要であり、建立するにも大型重機、即ち大型のクレーンが必要とされるが、公園化された近代霊園は別にしても、殆どの霊園、墓地には大型車両、大型クレーンが納骨堂建立場所まで到達できないことが多かったのである。そのため部材を霊園、墓地まで搬入するにも、小型車量に積載量オーバー承知で積み込んだり、また建立には小型クレーンで無理を承知で作業を遂行することが多く危険性が高い作業と危惧されていた。【０００６】  また、従来は納骨室内部に複数段の棚を配設し、当該棚に遺骨を入れた壷を載置していたが、これらは一族の墓としては事足りるものの、現在、墓そのものの大きさも問題となっているのが現実であり、多人数の納骨が可能である共同納骨堂が望まれているのが現状であるが、共同納骨堂とするには当該構造では限界があった。
【発明の開示】
【発明が解決しようとする課題】
【０００７】  解決しようとする問題点は、従来からある亀甲墓、破風墓、特に破風墓において加工を容易とし、更に建立場所への搬入並びに組み立てを容易とし、価格の低減を図り、且つ、多人数の納骨が可能であり、しかも納骨堂内部の温度の上昇を防ぎ、室内を乾燥状態に保持し得る納骨堂を開発することが発明が解決しようとする課題である。
【課題を解決するための手段】
【０００８】  本発明は、納骨堂の組み立て工法に通常の家屋建築工法を用い、納骨堂本体、屋根、納骨載置棚または納骨ロッカー、それに袖石に至るまで全て小石材部品として加工、搬入並びに建立を容易とし、しかも納骨堂本体の壁は二重構造として内部の温度上昇を抑制し得る構造とすること、これが課題を解決するための手段である。
【発明の効果】
【０００９】  本発明にかかる納骨堂は、納骨堂本体、納骨棚、袖石、屋根等を全て小石材部品による組立構造としたことを特徴とする石組み製納骨堂構造であるから、まず個々の石材部品が小品となるので加工が容易であり、しかも材料となる石材も、大きなみのから削りだしたりするのでなく、極端に言えば従来は半端物とされていた小石材から作り出すことが出来る。また納骨堂建立場所までの搬入も個々の部品が小部品と言うことで従来は進入できなかったような場所へも小型車で搬入することが出来る。その上、組立時の部品の取扱いも容易であり、しかも建立工事の安全性を図るためにレッカーが必要とされても小型のレッカーで用を足せる。このように一般の家屋建築工法を石材での納骨堂製作に応用して加工、組み立てを容易としているので、価格の低減が図れ、且つ多段式の納骨ロッカーを内部に採用しているので多人数の納骨が可能となる。更には、当該構造においては中間の支柱、壁材を増加すれば拡張も容易であるので、大型の納骨堂とすることも用意である。また、壁板を内壁と外壁の二重構造として、両壁間に間隙を設け、当該間隙を空気流通路としているので内部の温度上昇を防ぎ、納骨室内を乾燥状態を保つ構造としている。また屋根にモジュールを設置した太陽電池により、換気扇を駆動して内部の高温の空気を室外に強制排気する構造であり、また、当該太陽電池にて沖縄等、直射日光の厳しいところでは内部に空調機器を配設して稼動することも可能であり、更には室内、室外の照明とか礼拝器具の照明等にも利用できる。また排水用機器の駆動も可能である等、極めて顕著なる種々の効果が得られるものである。
【発明を実施するための最良の形態】
【００１０】  本発明は、納骨堂本体、納骨棚、袖石、屋根等を全て小石材部品による組立構造としたことを特徴とする組立工法による石組み納骨堂構造であり、更には支柱には中支柱側には内壁、外壁嵌装用の溝を形成し、直角方向内側の面には前壁嵌装用の溝を形成すると共に、当該溝に外壁、内壁を、前支柱には前壁を納骨室の壁を適宜の間隙を設けた内壁と外壁の二重構造とし、当該内壁と外壁の間隙を空気流通路又は断熱部としてなる組立工法による石組み納骨堂構造であり、更には、基台上に複数本の支柱を立設し、当該支柱に刻設した溝に夫々壁材を嵌装して納骨室を構成すると共に、前記支柱の上面には桁を載置し、その上部に棟材、垂木材、軒板等からなる屋根部材を載置し、当該屋根部材に屋根板を張設してなる組立工法による石組み納骨堂構造であり、更には、基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる組立工法による石組み納骨堂構造であり、更には、基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前嵌装し、更に前壁には観音開きの扉を有する入り口を設けてなる組立工法による石組み納骨堂構造であり、当該納骨室の上部に屋根部材を載置してなる納骨堂であり、更には、基台上に複数本の支柱を立設し、当該支柱のうち中支柱には前支柱側、後支柱側に相対する面に外壁嵌装用の溝を形成し、後支柱には前記中支柱側及び直角方向の後方の中支柱側の面に内壁及び外壁嵌装用の二条の溝を形成し、前支柱には中支柱側には内壁、外壁嵌装用の溝を形成し、直角方向内側の面には前壁嵌装用の溝を形成すると共に、当該溝に外壁、内壁を、前支柱には前壁を嵌装し、更に前壁には入り口を設けてなる納骨室で、当該納骨室の上部に屋根部材を載置してなる納骨堂であり、当該納骨堂の前部には一対の拝所柱を立設し、前記前壁に設けた梁穴に一端を嵌装した梁の他端を拝所柱にて支え、当該梁の上部に拝所屋根を載置し、前記入り口から拝所柱間を拝所としてなる組立工法による石組み納骨堂構造であり、更には、基台上に複数本の支柱を立設し、当該支柱に刻設した溝に夫々壁材を嵌装して得られた納骨堂内周に多段式の納骨ロッカーを配設してなる組立工法による石組み納骨堂構造であり、更には、基台上に複数本の支柱を立設し、当該支柱に刻設した溝に夫々壁材を嵌装して得られた納骨堂内部の前側に礼拝室を設け、当該礼拝室と扉で隔てた後方の部屋内周には多段式の納骨ロッカーを配設してなる組立工法による石組み納骨堂構造であり、更には、基台上に複数本の支柱を立設し、当該支柱に夫々嵌装した内壁と外壁の間に適宜幅の間隙を設けて空気流通路とし、屋切部に開口した空気取り入れ口より吸入した空気を内壁下部よ���空気流通路に導き、当該空気流通路の上方外壁に形成した排気口より外部へ排出すべくなしたる組立工法による石組み納骨堂構造であり、更には、基台上に複数本の支柱を立設し、当該支柱に夫々嵌装した内壁と外壁の間に適宜幅の空間を設けて空気流通路とし、屋切部に開口した空気取り入れ口より吸入した空気を内壁下部より空気流通路に導き、当該空気流通路の上方外壁に形成した排気口より外部へ排出すべく構成すると共に、排気口には換気扇を取り付け、当該換気扇を屋根にモジュールを配設した太陽電池により駆動すべく構成してなる組立工法による石組み納骨堂構造であり、更には、基台上に複数本の支柱を立設し、当該支柱に刻設した溝に夫々壁材を嵌装して得られた納骨堂において、屋根にモジュールを配設した太陽電池にて納骨堂内外の照明、礼拝器具の照明及び空調機器及び排水機器等の駆動をすべく構成してなる組立工法による石組み納骨堂構造であり、更には、納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成してなる納骨堂であり、更には、納骨室を構成する壁材の内面に、横方向に所定間隔をおいて、複数条の溝を縦方向に刻設すると共に、当該夫々の溝に支持板の一端を嵌装し、支持板の上に棚板を載置し、更に当該棚板の上で夫々の溝に支持板の一端を嵌装することを繰り返し、複数段の多段式納骨ロッカーを構成すると共に、棚板前側の上面及び底面には横方向に扉溝を刻設し、当該扉溝を用いて落し込みにより着脱自在に扉を装着すべく構成してなる組立工法による石組み納骨堂構造であり、更には、基台上に複数本の支柱を立設し、当該支柱に刻設した溝に夫々壁材を嵌装して納骨室において、前記支柱の上面には桁を載置し、その上部に棟材、垂木材、軒板等からなる屋根部材を載置し、当該屋根部材に屋根板を張設すると共に、当該屋根板を適宜の間隔を持たせた二重構造又は間に適宜の断熱部を設けた二重構造としてなる組立工法による石組み納骨堂構造を呈せんとするものである。
【実施例１】
【００１１】  図２及び図３に示すように、基台１上に複数本の支柱（前支柱２、中支柱３、後支柱４）を立設し、当該支柱のうち中支柱３には前支柱２側、後支柱４側に相対する面に外壁５を嵌装用の溝６を形成し、後支柱４には前記中支柱３側及び直角方向の後方の中支柱３側の面に内壁７及び外壁５嵌装用の二条の溝６を形成し、前支柱２には中支柱３側には内壁７、外壁５嵌装用の溝６を形成し、直角方向内側の面には前壁８嵌装用の溝６を形成すると共に、当該溝６に外壁５、内壁７を、前支柱２には前壁８を嵌装し、更に前壁８部には入り口９を設けると共に入り口９上部の左右に貫通した梁穴１０を設けている。１１は排気口である。【００１２】  納骨室Ａを形成する内壁７と外壁５に適宜幅の間隙を設けた二重構造とし、当該内壁７と外壁５の間隙を空気流通路１２としている。当該空気流通路１２は、空気流通路としての使用の他に、断熱材を充填して断熱部とすることも可能である。【００１３】  図７、図８、図９、図１０、図１１に示すように、基台１上に複数本の石材製支柱（前支柱２、中支柱３、後支柱４）を立設し、当該支柱に刻設した溝６に夫々同じく石材製壁材（外壁５、内壁７）を嵌装して得られた納骨堂Ａであり、当該納骨堂Ａの上部に同じく石材製の棟材１３と垂木材１４、軒板１５からなる屋根部材を配設し、当該屋根部材に屋根板１６を取り付けて屋根１７を構成している。本実施例においては前記前支柱２、中支柱３、後支柱４の外側上面に欠切部１８を設け、当該欠切部１８上に桁１９を載置し、桁１９の上に屋根部材を載置している。また屋根板１６は適宜の間隔をおいた二重構造、又は間に適宜の断熱材を介在せしめた二重構造としている。構造上からは梁を省き各支柱の上に直接に軒板がくるように屋根部材を載置する事も可能である。尚、支柱と桁、支柱と軒板等の当接部はピンで位置決めを兼ねた固定をしており、また接着剤を用いる事もある。【００１４】  基台１上に複数本の支柱（前支柱２、中支柱３、後支柱４）を立設し、当該支柱のうち中支柱３には前支柱２側、後支柱４側に相対する面に外壁５の嵌装用溝６を形成し、後支柱４には前記中支柱３側及び直角方向の後方の中支柱３側の面に内壁７及び外壁５嵌装用の二条の溝６を形成し、前支柱２には中支柱３側には内壁７、外壁５嵌装用の溝６を形成し、直角方向内側の面には前壁８嵌装用の溝６を形成すると共に、当該溝６に外壁５、内壁７を、前支柱２には前壁８を嵌装し、更に前壁８には入り口９を設けてなる納骨室Ａで、当該納骨室Ａの上部に屋根１７を載置してなる納骨堂Ａであり、当該納骨堂Ａの前部には一対の拝所柱２０、２０を立設し、前記納骨堂Ａ前壁８に設けた梁穴１０に一端を嵌装した梁３５、３５の他端を当該拝所柱２０、２０で支持し、この梁３５、３５間に拝所屋根２１を載置して、その下方を拝所２２としている。【００１５】  基台１上に複数本の支柱（前支柱２、中支柱３、後支柱４）を立設し、当該支柱に夫々内壁７、外壁５等を嵌装して得られた納骨堂Ａ内部に、図１２及び図１３に示すように多段式の納骨ロッカー２３を配設している。当該納骨ロッカー２３は図１４及び図１５に示すように納骨堂の幅によっては中央にも配設する事が可能であり、また図示は��ていないが、入り口側内方の入り口部分を避けた部分にも配設する事が可能である。また当該納骨ロッカー２３は、図面においては前面が開放されているが、扉付きとすることもできる。尚、本実施例においては、図１８に示すように納骨室を構成する壁材の内面に、横方向に所定間隔をおいて、複数条の溝２４を縦方向に刻設すると共に、当該夫々の溝２４に支持板２５の一端を嵌装し、支持板２５の上に棚板２６を載置し、更に当該棚板２６の上で夫々の溝２４に支持板２５の一端を嵌装することを繰り返し、複数段の組み立て式多段納骨ロッカー２３を構成している。また、図１９に示すように棚板２６前側の上面及び底面には横方向に扉溝２７、２８を刻設し、当該扉溝を用いて落し込みにより着脱自在に扉３２を装着すべく構成している。この際、棚板底面に刻設する溝２８の深さは、上面に刻設する溝２７より深く刻設している。また最下部の棚板２６の下方には台３３を配設し、壁板間の空気流通路１２に連通する空間３４を設けている。【００１６】  基台１上に複数本の支柱（前支柱２、中支柱３、後支柱４）を立設し、当該支柱に夫々内壁７、外壁５等を嵌装して得られた納骨堂Ａ内部の前側に、図１７に示すように礼拝室２９を設け、扉３０で隔てた後方の部屋には多段式の納骨ロッカー２３を配設すべく構成している。【００１７】  基台１上に複数本の支柱（前支柱２、中支柱３、後支柱４）を立設し、当該支柱に夫々嵌装した内壁７と外壁５の間に適宜幅の間隙を設けて空気流通路１２とし、屋切部に開口した空気取り入れ口３１より吸入した空気を内壁下部より空気流通路１２に導き、当該空気流通路１２の上方外壁に形成した排気口１１より外部へ排出すべく構成している。【００１８】  基台１上に複数本の支柱（前支柱２、中支柱３、後支柱４）を立設し、当該支柱に夫々嵌装した内壁７と外壁５の間に適宜幅の空間を設けて空気流通路１２とし、屋切部に開口した空気取り入れ口３１より吸入した空気を内壁７下部より空気流通路１２に導き、当該空気流通路１２の上方外壁５に形成した排気口１１より外部へ排出すべく構成すると共に、排気口１１には換気扇（図示なし）を取り付け、当該換気扇を図１６に示すように屋根１７にモジュール２４を配設した太陽電池により駆動すべく構成している。当該太陽電池では換気扇以外にも、納骨堂Ａ内外の照明、礼拝器具の照明及び空調機器及び排水機器等の駆動にも用いられるよう構成している。【００１９】  尚、図示はしていないが、納骨堂Ａ内部には排水路を設け、室内に発生した結露等を外部に排水するように構成している。排水構造については、自然排水、排水機器による強制排水がある。【００２０】  図２３は袖石３６を有する組立工法による石組み納骨堂であり、図２４に示すように、やや厚み大なる前板３７と側板３８、後板３９、更には図２３に示す上板４０により構成されている。４１は前屋根を支える袖柱である。
【産業上の利用可能性】
【００２１】  本発明にかかる納骨堂は、納骨堂本体、納骨棚、袖石、屋根等を全て小石材部品による組立構造としたことを特徴とする石組み製納骨堂構造であるから、まず個々の石材部品が小品となるので加工が容易であり、しかも材料となる石材も、大きなみのから削りだしたりするのでなく、極端に言えば従来は半端物とされていた小石材から作り出すことが出来る。また納骨堂建立場所までの搬入も個々の部品が小部品と言うことで従来は進入できなかったような場所へも小型車で搬入することが出来る。その上、組立時の部品の取扱いも容易であり、しかも建立工事の安全性を図るためにレッカーが必要とされても小型のレッカーで用を足せる。このように一般の家屋建築工法を石材での納骨堂製作に応用して加工、組み立てを容易としているので、価格の低減が図れ、且つ多段式の納骨ロッカーを内部に採用しているので多人数の納骨が可能となる。更には、当該構造においては中間の支柱、壁材を増加すれば拡張も容易であるので、大型の納骨堂とすることも用意である。また、納骨堂の前部に前屋根を設けたことにより、雨天での礼拝、真夏の日差しの厳しい時の礼拝等に効果を有するものである。また、壁板を内壁と外壁の二重構造として、両壁間に間隙を設け、当該間隙を空気流通路としているので内部の温度上昇を防ぎ、納骨室内を乾燥状態を保つ構造としている。また屋根にモジュールを設置した太陽電池により、換気扇を駆動して内部の高温の空気を室外に強制排気する構造であり、また、当該太陽電池にて沖縄等、直射日光の厳しいところでは内部に空調機器を配設して稼動することも可能であり、更には室内、室外の照明とか礼拝器具の照明等にも利用できる。また排水用機器の駆動も可能である等、利用可能性が極めて大である。
【図面の簡単な説明】
【００２２】
【図１】納骨堂の斜視図である。
【図２】納骨堂の構造を説明するための斜視図である。
【図３】納骨堂の構造を説明するための斜視図である。
【図４】前支柱の斜視図である。
【図５】中支柱の斜視図である。
【図６】納骨堂の断面図である。
【図７】屋根部材の斜視図である。
【図８】屋根部材の斜視図である。
【図９】屋根部材の斜視図である。
【図１０】屋根の斜視図である。
【図１１】屋根の取り付け構造を説明するための斜視図である。
【図１２】納骨堂内部の納骨ロッカーの斜視図である。
【図１３】納骨堂内部の納骨ロッカーの斜視図である。
【図１４】納骨堂内部の納骨ロッカーの斜視図である。
【図１５】納骨堂内部の納骨ロッカーの斜視図である。
【図１６】屋根に取り付けた太陽電池のモジュールを現す斜視図である。
【図１７】納骨堂内部の礼拝室を説明するための断面図である。
【図１８】納骨ロッカー部分の正面図である。
【図１９】納骨ロッカーの部分断側面図である。
【図２０】納骨堂正面図である。
【図２１】納骨堂背面図である。
【図２２】納骨堂側面図である。
【図２３】袖石を有する納骨堂の斜視図である。
【図２４】袖石の説明をするための斜視図である。
【符号の説明】
【００２３】Ａ  納骨堂
１  基台
２  前支柱
３  中支柱
４  後支柱
５  外壁
６  溝
７  内壁
８  前壁
９  入り口
１０  梁穴
１１  排気口
１２  空気流通路
１３  棟材
１４  垂木材
１５  軒板
１６  屋根板
１７  屋根
１８  欠切部
１９  桁
２０  拝所柱
２１  拝所屋根
２２  拝所
２３  納骨ロッカー
２４  溝
２５  支持板
２６  棚板
２７  上面扉溝
２８  下面扉溝
２９  内部礼拝所
３０  内部扉
３１  空気取り入れ口
３２  ロッカー扉
３３  台
３４  最下部空間
３５  拝所梁
３６  袖石
３７  前板
３８  側板
３９  後板
４０  上板
４１  袖柱
【手続補正３】
【補正対象書類名】図面
【補正対象項目名】図２３
【補正方法】追加
【補正の内容】
【図２３】
2010261290.tif 000025
【手続補正４】
【補正対象書類名】図面
【補正対象項目名】図２４
【補正方法】追加
【補正の内容】
【図２４】
2010261290.tif 000026